(57)【要約】【課題】  使用者が入力キーを含む画像を容易にカスタマイズできるようにする。【解決手段】  操作表示部２に入力キー、警告通知、完了通知を含む複数個の画像を表示し、その表示された入力キーの画像の表示領域に対する指示入力によって上記表示領域に対応付けられている指示を入力する入力装置１において、制御部９は、上記表示された画像の中から選択された画像を他の指定された画像データに基づく画像に変更する画像変更処理を実行する。【選択図】        図１
2007065908.tif 000002
【特許請求の範囲】
【請求項１】
入力キー、警告通知、完了通知を含む複数個の画像を表示する表示手段と、該表示手段に表示された入力キーの画像の表示領域に対する指示入力によって前記表示領域に対応付けられている指示を入力する入力手段とを備えた入力装置において、
前記表示手段に表示された画像の中から選択された画像を他の指定された画像データに基づく画像に変更する画像変更手段を設けたことを特徴とする入力装置。
【請求項２】
請求項１記載の入力装置において、前記表示手段に表示した画像の中から前記画像変更手段によって前記他の指定された画像データに基づく画像に変更可能な画像の候補を検索する検索手段を設けたことを特徴とする入力装置。
【請求項３】
請求項１又は２記載の入力装置において、前記画像変更手段によって画像を他の画像に変更するとき、前記他の画像の大きさを変更される画像の表示領域と同じ大きさに拡大又は縮小する拡大縮小手段を設けたことを特徴とする入力装置。
【請求項４】
入力キー、警告通知、完了通知を含む複数個の画像を表示する表示工程と、該表示工程によって表示された入力キーの画像の表示領域に対する指示入力によって前記表示領域に対応付けられている指示を入力する入力工程と、前記表示工程によって表示された画像の中から選択された画像を他の指定された画像データに基づく画像に変更する画像変更工程とからなることを特徴とする入力方法。
【請求項５】
請求項４記載の入力方法において、前記表示工程によって表示した画像の中から前記画像変更工程によって前記他の指定された画像データに基づく画像に変更可能な画像の候補を検索する検索工程を設けたことを特徴とする入力方法。
【請求項６】
請求項４又は５記載の入力方法において、前記画像変更工程によって画像を他の画像に変更するとき、前記他の画像の大きさを変更される画像の表示領域と同じ大きさに拡大又は縮小する拡大縮小工程を設けたことを特徴とする入力方法。
【請求項７】
コンピュータに、入力キー、警告通知、完了通知を含む複数個の画像を表示する表示手順と、該表示手順によって表示された入力キーの画像の表示領域に対する指示入力によって前記表示領域に対応付けられている指示を入力する入力手順と、前記表示手順によって表示された画像の中から選択された画像を他の指定された画像データに基づく画像に変更する画像変更手順とを実行させるためのプログラム。
【請求項８】
請求項７記載のプログラムにおいて、前記表示手順によって表示した画像の中から前記画像変更手順によって前記他の指定された画像データに基づく画像に変更可能な画像の候補を検索する検索手順を設けたことを特徴とするプログラム。
【請求項９】
請求項７又は８記載のプログラムにおいて、前記画像変更手順によって画像を他の画像に変更するとき、前記他の画像の大きさを変更される画像の表示領域と同じ大きさに拡大又は縮小する拡大縮小手順を設けたことを特徴とするプログラム。
【発明の詳細な説明】
【技術分野】
【０００１】
この発明は、複写機、ファクシミリ装置、印刷装置の操作パネルを含む入力装置と入力方法とプログラムに関する。
【背景技術】
【０００２】
例えば、画像形成装置の操作部は限られた表示範囲内に複数の入力キー、文字列の画像を表示する必要があるため、予め設計された仕様に基づいて各画像の表示位置、画面の構成、設定階層の深さが決められており、使用者は特定の位置に特定の画像を表示するか否かを設定できるのみで、使用者の好みに応じた入力キー、警告文字を表示させるように自由に設定変更するカスタマイズは不可能であった。
また、使用者の希望の画面に変更するには個別に操作部の制御ソフトウェアの組み込みを行う必要があり、使用者の要求を正確に取り入れるため、仕様の擦り合わせが必要となり、開発工数がかかってしまうという問題があった。
従来、紙にタッチパネルの各ボタンの表示枠を記入し、その紙をスキャナで読み込ませ、読み込んだ表示枠のイメージに基づいて各ボタンの表示枠を設定する入力装置（例えば、特許文献１参照）があった。
【特許文献１】特開２００４−４０２６４号公報
【発明の開示】
【発明が解決しようとする課題】
【０００３】
しかしながら、従来の入力装置では、表示された入力キーを含む画像を使用者が好みの画像にすることができないという問題があった。
この発明は上記の点に鑑みてなされたものであり、使用者が入力キーを含む画像を容易にカスタマイズできるようにすることを目的とする。
【課題を解決するための手段】
【０００４】
この発明は上記の目的を達成するため、次の入力装置、入力方法及びプログラムを提供する。
（１）入力キー、警告通知、完了通知を含む複数個の画像を表示する表示手段と、その表示手段に表示された入力キーの画像の表示領域に対する指示入力によって上記表示領域に対応付けられている指示を入力する入力手段を備えた入力装置において、上記表示手段に表示された画像の中から選択された画像を他の指定された画像データに基づく画像に変更する画像変更手段を設けた入力装置。
（２）上記（１）の入力装置において、上記表示手段に表示した画像の中から上記画像変更手段によって上記他の指定された画像データに基づく画像に変更可能な画像の候補を検索する検索手段を設けた入力装置。
（３）上記（１）又は（２）の入力装置において、上記画像変更手段によって画像を他の画像に変更するとき、上記他の画像の大きさを変更される画像の表示領域と同じ大きさに拡大又は縮小する拡大縮小手段を設けた入力装置。
【０００５】
（４）入力キー、警告通知、完了通知を含む複数個の画像を表示する表示工程と、その表示工程によって表示された入力キーの画像の表示領域に対する指示入力によって上記表示領域に対応付けられている指示を入力する入力工程と、上記表示工程によって表示された画像の中から選択された画像を他の指定された画像データに基づく画像に変更する画像変更工程とからなる入力方法。
（５）上記（４）の入力方法において、上記表示工程によって表示した画像の中から上記画像変更工程によって上記他の指定された画像データに基づく画像に変更可能な画像の候補を検索する検索工程を設けた入力方法。
（６）上記（４）又は（５）の入力方法において、上記画像変更工程によって画像を他の画像に変更するとき、上記他の画像の大きさを変更される画像の表示領域と同じ大きさに拡大又は縮小する拡大縮小工程を設けた入力方法。
【０００６】
（７）コンピュータに、入力キー、警告通知、完了通知を含む複数個の画像を表示する表示手順と、その表示手順によって表示された入力キーの画像の表示領域に対する指示入力によって上記表示領域に対応付けられている指示を入力する入力手順と、上記表示手順によって表示された画像の中から選択された画像を他の指定された画像データに基づく画像に変更する画像変更手順とを実行させるためのプログラム。
（８）上記（７）のプログラムにおいて、上記表示手順によって表示した画像の中から上記画像変更手順によって上記他の指定された画像データに基づく画像に変更可能な画像の候補を検索する検索手順を設けたプログラム。
（９）上記（７）又は（８）のプログラムにおいて、上記画像変更手順によって画像を他の画像に変更するとき、上記他の画像の大きさを変更される画像の表示領域と同じ大きさに拡大又は縮小する拡大縮小手順を設けたプログラム。
【発明の効果】
【０００７】
この発明による入力装置と入力方法は、使用者が入力キーを含む画像を容易にカスタマイズすることができる。
また、この発明によるプログラムは、コンピュータに使用者が入力キーを含む画像を容易にカスタマイズできるようにするための機能を実現させることができる。
【発明を実施するための最良の形態】
【０００８】
以下、この発明を実施するための最良の形態を図面に基づいて具体的に説明する。
〔実施例１〕
図１は、この発明の入力装置の実施例１の機能構成を示すブロック図である。
この入力装置１は、操作表示部２、画像記憶部３、ライブラリ記憶部４、機能構成情報記憶部５、イベント情報記憶部６、関連付け情報記憶部７、画面配置構成情報記憶部８、制御部９からなる。
操作表示部２は、複数個の入力キーを含む各種の画像を表示するＣＲＴ、ＬＣＤを含む表示部と、その表示部に表示された各入力キーの画像の表示領域に対する指示入力によって各表示領域にそれぞれ対応付けられている指示を含む各種の情報を入力するタッチパネルの入力部と、メカニカルスイッチを含むキー押下によって各種の情報を入力する複数のキーからなる入力部とを備えている。
【０００９】
画像記憶部３、ライブラリ記憶部４、機能構成情報記憶部５、イベント情報記憶部６、関連付け情報記憶部７及び画面配置構成情報記憶部８は、それぞれ読み書き可能なハードディスク装置上の各記憶領域又は読み書き可能なメモリである。
画像記憶部３は、初期状態で表示する各種の入力キー、警告通知、完了通知、マーク、ロゴ（以下まとめて「マーク」という）の画像を変更する複数の他の画像の画像データを記憶する。
ライブラリ記憶部４は、表示部に初期状態で表示する各種の入力キー、警告通知、完了通知、マークを含む各種の画像の画像データを予め記憶し、初期状態で表示する各種の入力キー、警告通知、完了通知、マークの画像を変更する他の画像の画像データを新規登録で記憶する。
【００１０】
機能構成情報記憶部５は、表示部に表示する複数個の入力キーの画像の表示領域に対する両面印刷（両面コピー）、集約印刷、分割印刷、変倍、ソート、スタック、ステープル、パンチ、編集、用紙サイズ選択、給紙トレイ選択を含む各種機能の指示入力の情報を記憶している。その各情報は機能構成情報ファイルにまとめられて記憶されている。
イベント情報記憶部６は、表示部に表示する複数個の警告通知、完了通知の各種イベントの表示情報を記憶している。その各情報はイベント情報ファイルにまとめられて記憶されている。
関連付け情報記憶部７は、ライブラリ記憶部４に記憶された画像データと機能構成情報記憶部５に記憶された各種機能の指示入力の情報、又はイベント情報記憶部６に記憶されたイベントの表示情報とを関連付け（対応付け）た関連付け情報を記憶する。
【００１１】
画面配置構成情報記憶部８は、表示部上の入力キー、イベント、マークとその他のメッセージの各画像の表示領域の構成とそれぞれの表示領域の大きさと配置との情報と、ライブラリ記憶部４に記憶されている画像データと各種のマークの表示領域とを関連付けた情報と、ライブラリ記憶部４に記憶されている画像データと各種の入力キーについての関連付け情報と表示領域とを関連付けた情報と、ライブラリ記憶部４に記憶されている画像データと各種のイベントについての関連付け情報と表示領域とを関連付けた情報とからなる画面配置構成情報を記憶する。
【００１２】
制御部９は、ＣＰＵ、ＲＯＭ、ＲＡＭを含むマイクロコンピュータによって実現され、この入力装置の全体の制御を司る。
すなわち、制御部９がこの発明に係るプログラムをＲＯＭに記憶し、ＣＰＵがＲＡＭを作業領域として使用してＲＯＭに記憶されたプログラムを実行することによりこの発明に係る入力方法の処理を実行し、上記各部と共にこの発明に係る画像変更手段、検索手段、拡大縮小手段の機能を果たす。
【００１３】
次に、この入力装置の入力キー又はマークの画像変更処理について説明する。
図２は、実施例１の入力装置における入力キー又はマークの画像変更処理を示すフローチャート図である。
この処理は、制御部９が、ステップ（図中「Ｓ」で示す）１で操作表示部の入力部から画像変更作業開始が入力されたことを検知すると、画像記憶部に予め登録して記憶された複数の画像を表示部に選択可能に一覧表示する登録画像一覧表示をする。
【００１４】
この画像変更作業とは、入力装置に初期状態で表示された各種の入力キー、警告通知、完了通知、マーク（この「マーク」とは、ここでは指示入力機能を持たない表示のみの機能を持った画像を指す）を含む画像を使用者が好みの他の画像に変更する作業であり、登録画像一覧表示とは、使用者に入力装置に初期状態で表示された各種の入力キー、警告通知、完了通知、マークの画像を変更するための他の画像を予め登録した複数の画像の中から選択させるための表示である。また、その画像を予め外部に接続したコンピュータから入力して画像記憶部３に登録しておく。上記画像としては、ソフトウェアで作成した画像、デジタル写真画像、スキャナによって原稿から読み取った画像、インターネットを含むネットワークを介して外部から取得した画像を含む各種の画像の画像データが対象となる。
【００１５】
ステップ２で入力部から上記一覧表示された複数の画像の中からいずれか１つの画像が選択入力されると、その選択入力された画像の画像データを画像記憶部から呼び出し、ステップ３で上記呼び出した画像データをライブラリ記憶部に新規登録する。
このライブラリ記憶部４には、入力装置に初期状態で表示する各種の入力キー、警告通知、完了通知、マークを含む各種の画像の画像データも記憶されており、制御部９は画像の変更がされていない場合にはライブラリ記憶部４に記憶された初期状態で表示する各種の入力キー、警告通知、完了通知、マークを含む画像の画像データに基づいて操作表示部２の表示部に入力キー、警告通知、完了通知、マークを含む各種の画像を表示する。
ステップ４で入力部から上記選択された画像に対して機能又はイベントの関連付け作業を選択する入力が検知されたか否かを判断する。
【００１６】
ステップ４で入力部から上記選択された画像に対して機能又はイベントの関連付け作業を選択する入力が検知されなかったと判断したら、ステップ５で画面配置構成情報記憶部に記憶されている画面配置構成情報に基づいて、上記選択入力された画像に変更可能な操作表示部の表示部上のマークの画像の表示領域を検索し、ステップ６で検索されたマークの画像の表示領域をブリンク、反転表示、周囲とは異なる色で表示を含む各種表示形態で強調表示する。
【００１７】
一方、ステップ４で入力部から上記選択された画像に対して機能又はイベントの関連付け作業を選択する入力が検知されたと判断したら、ステップ１２で機能構成情報記憶部に記憶されている機能構成情報ファイルと、イベント情報記憶部に記憶されているイベント情報ファイルとをそれぞれ呼び出して表示部に機能構成情報とイベント情報を一覧表示し、ステップ１３で入力部から上記一覧表示の中から選択入力された機能構成情報又はイベント情報とライブラリ記憶部に新規登録の画像データとを関連付けた関連付け情報を関連付け情報記憶部に新規登録し、ステップ１４で上記選択入力された機能構成情報又はイベント情報と画面配置構成情報記憶部に記憶された画面配置構成情報と関連付け情報記憶部に記憶された関連付け情報とに基づいて、上記選択入力された画像に変更可能な操作表示部の表示部上の画像の表示領域を検索し、ステップ６でその検索された画像の表示領域をブリンク、反転表示、周囲とは異なる色で表示を含む各種表示形態で強調表示する。
【００１８】
ステップ７で上記表示部に強調表示された表示領域が一箇所の場合はその表示領域、複数箇所の場合はいずれか一つの表示領域が画像を変更する表示領域として選択入力されたことを検知すると、ステップ８で関連付け情報記憶部に記憶された関連付け情報に基づいて上記選択入力を検知した表示領域に機能構成情報又はイベント情報の関連付けが有るか否かを判断する。
【００１９】
ステップ８で上記選択入力を検知した表示領域に機能構成情報又はイベント情報の関連付けが無いと判断したら、ステップ９で画面配置構成情報記憶部に記憶された画面配置構成情報をライブラリ記憶部に新規登録の画像データに基づいて変更する。この変更では、上記選択入力を検知した表示領域に関連付けられている画像データに代えて、ライブラリ記憶部４に新規登録されている画像データを関連付けるようにする。
【００２０】
一方、ステップ８で上記選択入力を検知した表示領域に機能構成情報又はイベント情報の関連付けが有ると判断したら、ステップ１５で画面配置構成情報記憶部に記憶された画面配置構成情報をライブラリ記憶部に新規登録の画像データと関連付け情報記憶部に新規登録の関連付け情報とに基づいて変更する。この変更では、上記選択入力を検知した表示領域に関連付けられている画像データに代えて、ライブラリ記憶部４に新規登録されている画像データを関連付けるように変更し、さらに制御部９はその変更した画像データについての関連付け情報記憶部７に新規登録された関連付け情報を参照するようにする。
【００２１】
ステップ１０で上記変更した画像データの画像の大きさが表示領域と同じ大きさか否かを判断し、同じ大きさと判断したら、ステップ１１で上記変更後の画面配置構成情報とライブラリ記憶部の画像データと関連付け情報記憶部の関連付け情報とに基づいて操作表示部の表示部に入力キー、警告通知、完了通知又はマークの画像変更後の操作画面を表示し、この処理を終了する。
また、ステップ１０で上記変更した画像データの画像の大きさが表示領域と同じ大きさではないと判断したら、ステップ１６で画像の大きさが表示領域と同じ大きさになるようにライブラリ記憶部に新規登録された画像データに拡大処理を施して拡大又は縮小処理を施して縮小し、ライブラリ記憶部の画像データを拡大又は縮小後の画像データに更新し、ステップ１１で上記変更後の画面配置構成情報と上記更新後のライブラリ記憶部の画像データと関連付け情報記憶部の関連付け情報とに基づいて操作表示部の表示部に入力キー、警告通知、完了通知又はマークの画像変更後の操作画面を表示し、この処理を終了する。
【００２２】
なお、上述の更新登録において、初期状態の画面配置構成情報を変更せずに保持し、上述のような画像の変更によって更新された画面配置構成情報を他に作成し、画像の変更後はその更新された画面配置構成情報を有効にすれば、画像の変更後は使用者によってカスタマイズした表示内容を表示するようにすることができ、上記保持した初期状態の画面配置構成情報を参照することによって操作表示部の表示部に表示する操作画面を容易に初期状態に戻すことができる。
【００２３】
次に、実施例１の入力装置の入力キー又はマークの画像変更操作について説明する。
図３は、図１に示す入力装置の操作表示部２の上面の概観図である。
図４は、図３に示す操作表示部２の表示部２ａの操作画面の一例を示す図である。
図５は、入力キー又はマークの画像変更操作時に表示される画像選択画面を示す図である。
図６は、入力キー又はマークの画像変更操作時に表示される選択画像確認画面を示す図である。
図７は、入力キー又はマークの画像変更操作時に表示される機能関連付け作業画面を示す図である。
図８は、入力キー又はマークの画像変更操作途中の操作画面を示す図である。
図９は、入力キー又はマークの画像変更操作時に表示される画像変更確認画面を示す図である。
図１０は、入力キー又はマークの画像変更後の操作画面を示す図である。
【００２４】
この操作表示部２は、図３に示すように、初期設定／カウンタ／問合情報、コピー、ドキュメントボックス、送信、プリンタ、ＳＤＫ、機能一覧、リセット、プログラム、割り込み、テンキー、余熱、試しコピー、クリア／ストップ、スタート、主電源、ログイン／ログアウト、簡単画面を含むメカニカルスイッチ式の各入力キーと、複数個の入力キー、警告通知、完了通知及びマーク、ロゴを含む画像を表示するＣＲＴ、ＬＣＤを含む表示部２ａとからなる。
【００２５】
表示部２ａは、図４に示すように、用紙サイズ選択、変倍指定、両面コピーを含む各種の入力キーと、マークやロゴと、各種メッセージの画像が表示されており、各入力キーについては、その表示領域上を使用者が指でタッチすると、その表示領域に対応付けられている指示を入力することができる。例えば、ソートキーをタッチすると、コピー時のソート機能を指定することができる。
【００２６】
例えば、使用者によって、表示部２ａ上の図示を省略した画像変更機能キーを入力すると、表示部２ａに、図５に示す画像選択画面が表示され、予め登録されている変更用の画像の一覧が選択可能に表示される。例えば、画像１０をタッチして選択すると、この画像選択画面が消え、図６に示す選択画像確認画面が表示され、画像１０を使用するか否かの確認を求める。ここで、キャンセルキー（図中「ｃａｎｃｅｌ」と表示されたキー）をタッチすると、図５の画像選択画面に戻るが、オーケーキー（図中「ＯＫ」と表示されたキー）１１をタッチすると、図７に示す機能関連付け作業画面が表示される。この機能関連付け作業画面には画像１０へのタッチ入力がされたときに入力する機能の種類を選択可能に表示している。
【００２７】
図７の機能関連付け作業画面において、例えば、両面原稿を用紙の両面にコピーする機能のアイコン１２をタッチしてイエスキー（図中「ＹＥＳ」と表示されたキー）１３をタッチすると、図８に示すように、表示部２ａの操作画面中から両面原稿を用紙の両面にコピーする機能の指示入力キーの画像１４と１５（図中破線枠で囲んだ画像）がブリンクを含む表示形態で強調表示されるので、例えば、変更対象として画像１４をタッチして選択すると、図９に示す画像変更確認画面が表示され、画像１４を上記画像１０に変更してもよいか否かの確認を促す。ここで、確認キー１６をタッチすると、操作画面の画像１４に変わって、図１０に示すように画像１０が表示される。その画像１０を表示する際、画像１４と同じ大きさでなければ自動的に拡大又は縮小されて同じ大きさで表示される。そして、この画像１０をタッチすれば、両面原稿を用紙の両面にコピーする機能の指示を入力することができる。
【００２８】
〔実施例２〕
この実施例２の入力装置は、図１に示した入力装置の構成と同じであるが、制御部９による画像変更処理が上述の処理とは若干異なる。
図１１は、実施例２の入力装置における入力キー又はマークの画像変更処理を示すフローチャート図である。
この処理は、制御部９が、ステップ（図中「Ｓ」で示す）２１で操作表示部の入力部から画像変更作業開始が入力されたことを検知すると、表示部の操作画面上の各画像について変更対象の画像として選択可能に表示し、いずれかの画像が選択入力されたことを検知し、ステップ２２で変更の確認入力を検知すると、ステップ２３で画像記憶部に予め登録して記憶された複数の画像を表示部に選択可能に一覧表示する登録画像一覧表示をする。
【００２９】
この画像変更作業とは、入力装置に初期状態で表示された各種の入力キー、警告通知、完了通知、マーク（この「マーク」とは、ここでは指示入力機能を持たない表示のみの機能を持った画像を指す）を含む画像を使用者が好みの他の画像に変更する作業であり、登録画像一覧表示とは、使用者に入力装置に初期状態で表示された各種の入力キー、警告通知、完了通知、マークの画像を変更するための他の画像を予め登録した複数の画像の中から選択させるための表示である。また、その画像を予め外部に接続したコンピュータから入力して画像記憶部３に登録しておく。上記画像としては、ソフトウェアで作成した画像、デジタル写真画像、スキャナによって原稿から読み取った画像、インターネットを含むネットワークを介して外部から取得した画像を含む各種の画像の画像データが対象となる。
【００３０】
ステップ２４で入力部から上記一覧表示された複数の画像の中からいずれか１つの画像が選択入力されると、その選択入力された画像の画像データを画像記憶部から呼び出し、ステップ２５で上記呼び出した画像データをライブラリ記憶部に新規登録する。
このライブラリ記憶部４には、入力装置に初期状態で表示する各種の入力キー、警告通知、完了通知、マークを含む各種の画像の画像データも記憶されており、制御部９は画像の変更がされていない場合にはライブラリ記憶部４に記憶された初期状態で表示する各種の入力キー、警告通知、完了通知、マークを含む画像の画像データに基づいて操作表示部２の表示部に入力キー、警告通知、完了通知、マークを含む各種の画像を表示する。
ステップ２６で関連付け情報記憶部に記憶された関連付け情報に基づいて上記選択入力を検知した画像の表示領域に機能構成情報又はイベント情報の関連付けが有るか否かを判断する。
【００３１】
ステップ２６で上記選択入力を検知した画像の表示領域に機能構成情報又はイベント情報の関連付けが無いと判断したら、ステップ２７で画面配置構成情報記憶部に記憶された画面配置構成情報をライブラリ記憶部に新規登録の画像データに基づいて変更する。この変更では、上記選択入力を検知した表示領域に関連付けられている画像データに代えて、ライブラリ記憶部４に新規登録されている画像データを関連付けるようにする。
【００３２】
一方、ステップ２６で上記選択入力を検知した表示領域に機能構成情報又はイベント情報の関連付けが有ると判断したら、ステップ３０で画面配置構成情報記憶部に記憶された画面配置構成情報をライブラリ記憶部に新規登録の画像データと関連付け情報記憶部に新規登録の関連付け情報とに基づいて変更する。この変更では、上記選択入力を検知した表示領域に関連付けられている画像データに代えて、ライブラリ記憶部４に新規登録されている画像データを関連付けるように変更し、さらに制御部９はその変更した画像データについての関連付け情報記憶部７に新規登録された関連付け情報を参照するようにする。
【００３３】
ステップ２８で上記変更した画像データの画像の大きさが表示領域と同じ大きさか否かを判断し、同じ大きさと判断したら、ステップ２９で上記変更後の画面配置構成情報とライブラリ記憶部の画像データと関連付け情報記憶部の関連付け情報とに基づいて操作表示部の表示部に入力キー、警告通知、完了通知又はマークの画像変更後の操作画面を表示し、この処理を終了する。
また、ステップ２８で上記変更した画像データの画像の大きさが表示領域と同じ大きさではないと判断したら、ステップ３１で画像の大きさが表示領域と同じ大きさになるようにライブラリ記憶部に新規登録された画像データに拡大処理を施して拡大又は縮小処理を施して縮小し、ライブラリ記憶部の画像データを拡大又は縮小後の画像データに更新し、ステップ２９で上記変更後の画面配置構成情報と上記更新後のライブラリ記憶部の画像データと関連付け情報記憶部の関連付け情報とに基づいて操作表示部の表示部に入力キー、警告通知、完了通知又はマークの画像変更後の操作画面を表示し、この処理を終了する。
【００３４】
なお、上述の更新登録において、初期状態の画面配置構成情報を変更せずに保持し、上述のような画像の変更によって更新された画面配置構成情報を他に作成し、画像の変更後はその更新された画面配置構成情報を有効にすれば、画像の変更後は使用者によってカスタマイズした表示内容を表示するようにすることができ、上記保持した初期状態の画面配置構成情報を参照することによって操作表示部の表示部に表示する操作画面を容易に初期状態に戻すことができる。
【００３５】
次に、実施例２の入力装置の入力キー又はマークの画像変更操作について説明する。
図１２は、実施例２の入力装置における入力キー又はマークの画像変更操作の変更箇所指定時の操作画面を示す図である。
図１３は、実施例２の入力装置における入力キー又はマークの画像変更操作時に表示される変更画像確認画面を示す図である。
【００３６】
例えば、使用者によって、表示部２ａ上の図示を省略した画像変更機能キーを入力すると、表示部２ａの操作画面上の各画像が選択可能になるので、図１２に示すように、例えば変更する画像として両面原稿を用紙の両面にコピーする機能の指示入力キーの画像１４をタッチして選択すると、図１３に示す変更画像確認画面が表示される。
ここで、キャンセルキー（図中「ｃａｎｃｅｌ」と表示されたキー）をタッチすると、図１２の操作画面に戻るが、オーケーキー（図中「ＯＫ」と表示されたキー）１７をタッチすると、図５に示した画像選択画面が表示され、予め登録されている変更用の画像の一覧が選択可能に表示される。例えば、画像１０をタッチして選択すると、この画像選択画面が消え、図６に示す選択画像確認画面が表示され、画像１０を使用するか否かの確認を求める。
【００３７】
ここで、キャンセルキー（図中「ｃａｎｃｅｌ」と表示されたキー）をタッチすると、図５の画像選択画面に戻るが、オーケーキー（図中「ＯＫ」と表示されたキー）１１をタッチすると、操作画面の画像１４に変わって、図１０に示すように画像１０が表示される。その画像１０を表示する際、画像１４と同じ大きさでなければ自動的に拡大又は縮小されて同じ大きさで表示される。そして、この画像１０をタッチすれば、両面原稿を用紙の両面にコピーする機能の指示を入力することができる。
【００３８】
この実施例１，２の入力装置は、ユーザの好みの画像を操作部画面の要素として使用することができる。
また、ユーザの好みの画像と各種の機能とを関連付けて操作画面の要素として使用することができる
さらに、ユーザの好みの画像とイベント（警告通知、完了通知）を関連付けて操作画面の要素として使用することができる。
また、ユーザの好みの文字列とイベント（警告通知、完了通知）を関連付けて操作画面の要素として使用することができる。
さらに、操作画面の要素として登録することで流用可能となり、一つの画像に対して複数のイベント関連付けが可能になる。
【００３９】
また、ユーザの好みの画面にカスタマイズした際でも、制御ソフトウェアの再組み込みが不要になる。
さらに、ユーザの好みの画像を画面に登録する際、イベント関連付けされたものであるか否かを判別し、画面上の登録可能な画像をユーザに提示することにより、操作画面の画像を簡単にカスタマイズすることが可能になる。
さらにまた、ユーザの好みの画面にカスタマイズした際に、登録したい部分に画像が入らない場合は、登録したい場所に適合する大きさを計算して拡大又は縮小して同じ大きさにして登録することができる。
【産業上の利用可能性】
【００４０】
この発明による入力装置、入力方法、プログラムは、デスクトップパソコン、ノートブックパソコンを含むパーソナルコンピュータ、携帯電話機、その他の入力操作を行う機器全般においても適用することができる。
【図面の簡単な説明】
【００４１】
【図１】この発明の入力装置の実施例１の機能構成を示すブロック図である。
【図２】実施例１の入力装置における入力キー又はマークの画像変更処理を示すフローチャート図である。
【図３】図１に示す入力装置の操作表示部２の上面の概観図である。
【図４】図３に示す操作表示部２の表示部２ａの操作画面の一例を示す図である。
【００４２】
【図５】実施例１の入力装置における入力キー又はマークの画像変更操作時に表示される画像選択画面を示す図である。
【図６】実施例１の入力装置における入力キー又はマークの画像変更操作時に表示される選択画像確認画面を示す図である。
【図７】実施例１の入力装置における入力キー又はマークの画像変更操作時に表示される機能関連付け作業画面を示す図である。
【００４３】
【図８】実施例１の入力装置における入力キー又はマークの画像変更操作途中の操作画面を示す図である。
【図９】実施例１の入力装置における入力キー又はマークの画像変更操作時に表示される画像変更確認画面を示す図である。
【図１０】実施例１の入力装置における入力キー又はマークの画像変更後の操作画面を示す図である。
【００４４】
【図１１】実施例２の入力装置における入力キー又はマークの画像変更処理を示すフローチャート図である。
【図１２】実施例２の入力装置における入力キー又はマークの画像変更操作の変更箇所指定時の操作画面を示す図である。
【図１３】実施例２の入力装置における入力キー又はマークの画像変更操作時に表示される変更画像確認画面を示す図である。
【符号の説明】
【００４５】
１：入力装置    ２：操作表示部    ３：画像記憶部    ４：ライブラリ記憶部    ５：機能構成情報記憶部    ６：イベント情報記憶部    ７：関連付け情報記憶部    ８：画面配置構成情報記憶部    ９：制御部
【図１】
2007065908.tif 000003
【図２】
2007065908.tif 000004
【図３】
2007065908.tif 000005
【図５】
2007065908.tif 000006
【図６】
2007065908.tif 000007
【図７】
2007065908.tif 000008
【図９】
2007065908.tif 000009
【図１１】
2007065908.tif 000010
【図４】
2007065908.tif 000011
【図８】
2007065908.tif 000012
【図１０】
2007065908.tif 000013
【図１２】
2007065908.tif 000014
【図１３】
2007065908.tif 000015